(57)【要約】【課題】  製造コストの増加を抑制しつつ発電効率の低下を抑制可能な太陽電池モジュールを提供する。【解決手段】  太陽電池セル４０が上面４０ａから太陽光Ｌ１を受光して短波長領域の光で発電を行う一方、アップコンバータ５０が、長波長領域の光を短波長領域の光に変換する。波長領域が変換された後の光は、太陽電池セル４０の上面４０ａに向けて反射される。このため、太陽電池モジュール１００では、筐体１０内に入射した太陽光Ｌ１と、波長領域が変換された後の光との両方が、太陽電池セル４０の上面４０ａで受光されることとなるため、片面受光型の太陽電池セルを採用することが可能となる。よって、両面受光型の太陽電池セルを用いる場合に比べて、製造コストの増加を抑制可能であると共に、電極面積の減少に伴う発電効率の低下の抑制が可能となる。【選択図】図１
2013123015.tif 000002
【特許請求の範囲】
【請求項１】
所定の波長領域の第１の光と他の所定の波長領域の第２の光とを含む太陽光を入射させるための開口部が設けられた筐体と、
前記筐体の内部に入射した前記太陽光を一方の面から受光することにより、前記第１の光を吸収して発電すると共に前記第２の光を透過する太陽電池セルと、
前記第２の光の波長領域を前記所定の波長領域に変換する波長変換手段と、
前記太陽電池セルを透過した前記第２の光を前記波長変換手段に向けて反射すると共に、前記波長変換手段において波長領域が変換された前記第２の光を前記太陽電池セルの前記一方の面に向けて反射する反射手段と、
を備えることを特徴とする太陽電池モジュール。
【請求項２】
前記太陽光を前記筐体の前記開口部に集光することにより、前記太陽光を前記筐体の内部に入射させる集光手段をさらに備える、ことを特徴とする請求項１に記載の太陽電池モジュール。
【請求項３】
前記反射手段は、前記太陽電池セルの前記一方の面に対向する他方の面に隣接して配置され、前記太陽電池セルを透過した前記第２の光を前記波長変換手段に向けて反射する反射部を含む、ことを特徴とする請求項１又は２に記載の太陽電池モジュール。
【請求項４】
前記反射手段は、前記太陽電池セルの前記一方の面の上に配置され、前記筐体の内部に入射した前記太陽光のうちの前記第１の光を前記太陽電池セルの前記一方の面に向けて透過すると共に、前記第２の光を前記波長変換手段に向けて反射する分光部を含む、ことを特徴とする請求項１〜３のいずれか一項に記載の太陽電池モジュール。
【発明の詳細な説明】
【技術分野】
【０００１】
本発明は、太陽光を用いて発電を行う太陽電池モジュールに関する。
【背景技術】
【０００２】
上記技術分野の従来の技術として、例えば、特許文献１に記載の太陽発電装置が知られている。特許文献１に記載の太陽発電装置は、広波長領域のスペクトル分布を持つ光が入射する断熱室と、断熱室内に配置され、断熱室内に入射した光により加熱されることにより狭波長領域のスペクトル分布を持つ光を放射するヒータと、ヒータから放射された光を用いて発電を行う太陽電池とを備えている。
【先行技術文献】
【特許文献】
【０００３】
【特許文献１】特開平４−３５４３７８号公報
【発明の概要】
【発明が解決しようとする課題】
【０００４】
ところで、太陽電池モジュールとしては、例えば、太陽電池セルで吸収されずに透過する長波長領域の光を、太陽電池セルで吸収され得る短波長領域の光に変換した後に太陽電池セルに戻すことにより、発電効率を向上させるアップコンバージョン型のものが知られている。アップコンバージョン型の太陽電池モジュールにおいては、太陽電池セルの裏面に対向するように、波長を変換するためのアップコンバータを配置する場合がある。
【０００５】
その場合には、太陽光のうちの短波長領域の光は、太陽電池セルの表面から太陽電池セルに入射して発電に供される一方で、太陽光のうちの長波長領域の光は、太陽電池セルの表面から太陽電池セルに入射した後に太陽電池セルを透過して裏面から出射する。太陽電池セルの裏面から出射した光は、アップコンバータにおいて波長が変換された後に、太陽電池セルの裏面から再び太陽電池セルに入射して発電に供される。したがって、上述したようなアップコンバージョン型の太陽電池モジュールにおいては、両面受光型の太陽電池セルを用いる必要がある。
【０００６】
ところが、両面受光型の太陽電池セルは、片面受光型の太陽電池セルに比べて製造工程が多くなるため、製造コストが高くなる傾向がある。また、両面受光型の太陽電池セルにおいては、裏面側からも光を受光できるように、裏面電極の形状を櫛歯等の微細電極パターンとする必要がある。そのため、両面受光型の太陽電池セルにおいては、片面受光型の太陽電池セルに比べて電極面積が小さくなる結果、太陽電池セルの内部抵抗が高まり発電効率が低下するおそれがある。
【０００７】
本発明は、そのような事情に鑑みてなされたものであり、製造コストの増加を抑制しつつ発電効率の低下を抑制可能な太陽電池モジュールを提供することを課題とする。
【課題を解決するための手段】
【０００８】
上記課題を解決するために、本発明に係る太陽電池モジュールは、所定の波長領域の第１の光と他の所定の波長領域の第２の光とを含む太陽光を入射させるための開口部が設けられた筐体と、筐体の内部に入射した太陽光を一方の面から受光することにより、第１の光を吸収して発電すると共に第２の光を透過する太陽電池セルと、第２の光の波長領域を所定の波長領域に変換する波長変換手段と、太陽電池セルを透過した第２の光を波長変換手段に向けて反射すると共に、波長変換手段において波長領域が変換された第２の光を太陽電池セルの一方の面に向けて反射する反射手段と、を備えることを特徴とする。
【０００９】
この太陽電池モジュールにおいては、所定の波長領域（例えば短波長領域）の第１の光と他の所定の波長領域（例えば長波長領域）の第２の光とを含む太陽光が、筐体の開口部から筐体内に入射する。そして、太陽電池セルが、一方の面から太陽光を受光することにより、第１の光を吸収して発電を行う。その一方で、波長変換手段が、太陽光のうちの第２の光の波長領域を、太陽電池セルで吸収可能な所定の波長領域に変換する。そして、反射手段が、波長領域が変換された後の第２の光を、太陽電池セルの一方の面に向けて反射する。このため、第１の光に加えて第２の光も発電に供されることとなるので、発電効率が向上する。特に、この太陽電池モジュールにおいては、上述したように、波長領域が変換された後の第２の光も、太陽電池セルの一方の面で受光されることとなる。このため、この太陽電池モジュールにおいては、その一方の面を受光面とする片面受光型の太陽電池セルを採用することが可能となる。よって、両面受光型の太陽電池セルを用いる場合に比べて、製造コストの増加を抑制可能であると共に、電極面積の減少に伴う発電効率の低下の抑制が可能となる。
【００１０】
本発明に係る太陽電池モジュールは、太陽光を筐体の開口部に集光することにより、太陽光を筐体の内部に入射させる集光手段をさらに備えることができる。この場合、開口部を比較的小さく形成することができるので、一旦筐体の内部に入射した光が開口部から出射されにくくなる。
【００１１】
本発明に係る太陽電池モジュールにおいては、反射手段は、太陽電池セルの一方の面に対向する他方の面に隣接して配置され、太陽電池セルを透過した第２の光を波長変換手段に向けて反射する反射部を含むことができる。この場合には、太陽電池セルを透過した第２の光を確実に波長変換手段に導くことができる。
【００１２】
本発明に係る太陽電池モジュールにおいては、反射手段は、太陽電池セルの一方の面の上に配置され、筐体内部に入射した太陽光のうちの第１の光を太陽電池セルの一方の面に向けて透過すると共に、第２の光を波長変換手段に向けて反射する分光部を含むことができる。この場合には、太陽電池セルの一方の面の上において、太陽光を第１の光と第２の光とに分光することができる。
【発明の効果】
【００１３】
本発明によれば、製造コストの増大を抑制しつつ発電効率の低下を抑制可能な太陽電池モジュールを提供することができる。
【図面の簡単な説明】
【００１４】
【図１】本発明に係る太陽電池モジュールの第１実施形態の構成を模式的に示す図である。
【図２】図１に示された太陽電池セルの構成を示す断面図である。
【図３】本発明に係る太陽電池モジュールの第２実施形態の構成を模式的に示す図である。
【図４】図３に示されたダイクロイックミラーの反射特性の一例を示す図である。
【図５】本発明に係る太陽電池モジュールの第３実施形態の構成を模式的に示す図である。
【図６】本発明に係る太陽電池モジュールの第４実施形態の構成を模式的に示す図である。
【発明を実施するための形態】
【００１５】
以下、本発明に係る太陽電池モジュールの一実施形態について、図面を参照して詳細に説明する。なお、図面の説明において、同一の要素、或いは相当する要素には互いに同一の符号を付し、重複する説明を省略する。また、図面における各部の寸法比率は、実際のものとは異なる場合がある。
［第１実施形態］
【００１６】
図１は、本発明に係る太陽電池モジュールの第１実施形態の構成を模式的に示す図である。図１に示されるように、太陽電池モジュール１００は、筐体１０を備えている。筐体１０は、矩形箱状を呈している。筐体１０の上面部１１には、太陽光Ｌ１を筐体１０の内部に入射させるための複数の開口部２０が互いに略等間隔に配列されて設けられている。ここでの太陽光Ｌ１は、短波長領域（所定の波長領域：例えば８７０ｎｍ以下（１．４２ｅＶ以上）程度）の光（第１の光）と、長波長領域（他の所定の波長領域：例えば８７０ｎｍ以上（１．４２ｅＶ以下）程度）の光（第２の光）とを含む。なお、開口部２０は、入射光を遮らない範囲において筐体１０の内面積に対してできるだけ小さいことが好ましい。これは、開口部２０から筐体１０の内部に入射した光が、筐体１０内の各部で反射された後に開口部２０から出射されにくくするためである。
【００１７】
筐体１０の内面（上面部１１の内面１１ａ、側面部１２の内面１２ａ、及び底面部１３の内面１３ａ）は、例えばＡｌを蒸着することにより鏡面とされている。換言すれば、太陽電池モジュール１００においては、ミラーによって筐体１０が構成されている。このように、太陽電池モジュール１００においては、筐体１０の内面が、筐体１０の内部において太陽光を反射する反射手段として機能する。
【００１８】
太陽電池モジュール１００は、筐体１０の外部に配置されたシリンドリカルレンズ（集光手段）３０を備えている。シリンドリカルレンズ３０は、筐体１０の上面部１１に対向するように配置されている。シリンドリカルレンズ３０は、複数の凸状のレンズ部３１を並列配置して一体化して構成されている。シリンドリカルレンズ３０は、各レンズ部３１の焦点が、それぞれ、筐体１０の各開口部２０に位置するように配置されている。したがって、シリンドリカルレンズ３０は、太陽光Ｌ１を筐体１０の開口部２０に集光することにより、太陽光Ｌ１を筐体１０の内部に入射させる。なお、太陽電池モジュール１００においては、太陽光Ｌ１を筐体１０の開口部２０に集光して筐体１０内に入射されるための手段は、シリンドリカルレンズ３０に限らず他のものでもよい。
【００１９】
太陽電池モジュール１００は、筐体１０の内部に配置された太陽電池セル４０を備えている。太陽電池セル４０は、筐体１０の上面部１１（特に開口部２０）に対向するように、筐体１０の底面部１３の上に配置されている。太陽電池セル４０は、筐体１０の内部に入射した太陽光Ｌ１を上面（一方の面）４０ａから受光することにより、太陽光Ｌ１のうちの短波長領域の光を吸収して発電を行うと共に、長波長領域の光を透過する。太陽電池セル４０を透過した光は、太陽電池セル４０の裏面（他方の面）４０ｂから出射される。
【００２０】
図２は、太陽電池セル４０の構成を示す断面図である。図２に示されるように、太陽電池セル４０は、半導体基板４１と、半導体基板４１の主面４１ａの上に順に積層された半導体層４２，４３と、半導体基板４１の裏面４１ｂの上に設けられた下部電極４４と、半導体層４３の上面４３ａの上に設けられた上部電極４５とを有している。
【００２１】
半導体基板４１は、例えば、ＧａＡｓといった化合物半導体から構成することができる。半導体基板４１は、例えば、ｐ＋型の導電型を有する。半導体基板４１のドーパントとしては、例えば、Ｚｎを用いることができる。半導体基板４１のドーパント濃度は、例えば１×１０１９ｃｍ−３程度とすることができる。半導体層４２は、例えば、ＧａＡｓといった化合物半導体から構成することができる。半導体層４２は、例えば、ｐ−型の導電型とすることができる。半導体層４２のドーパントとしては、例えば、Ｂｅを用いることができる。半導体層４２のドーパント濃度は、例えば、１×１０１７ｃｍ−３とすることができる。
【００２２】
半導体層４３は、例えば、ＧａＡｓといった化合物半導体から構成することができる。半導体層４３は、例えば、ｎ＋型の導電型を有する。半導体層４３のドーパントとしては、例えば、Ｓｉを用いることができる。半導体層４３のドーパント濃度は、例えば、１×１０１９ｃｍ−３とすることができる。太陽電池セル４０においては、この半導体層４３の上面４３ａが太陽電池セル４０の上面４０ａであり、受光面となる。
【００２３】
下部電極４４は、半導体基板４１の裏面４１ｂの全面に設けられている。下部電極４４は、例えば、半導体基板４１の半導体基板４１ｂとオーミック接触をなすＡｕから構成することができる。Ａｕは、９００ｎｍ〜１６００ｎｍの波長領域の光に対してほぼ一定の反射特性を示し、その反射率は約９５％である。したがって、下部電極４４をＡｕから構成すれば、長波長領域の光を反射するための反射手段として下部電極４４を機能させることができる。
【００２４】
上部電極４５は、半導体層４３の上面４３ａから太陽電池セル４０の内部に太陽光Ｌ１等を十分に取り込めるように、細線で構成された微細電極パターンとなっている。上部電極４５は、例えば、半導体層４３の上面４３ａとオーミック接触をなすＡｕＧｅ／Ｎｉから構成することができる。
【００２５】
図１を参照して説明を続ける。図１に示されるように、太陽電池モジュール１００は、筐体１０の内部において太陽電池セル４０よりも開口部２０側に配置されたアップコンバータ（波長変換手段）５０を備えている。アップコンバータ５０は、筐体１０の上面部１１の内面１１ａの上に設けられている。アップコンバータ５０は、太陽電池セル４０の上面４０ａ（半導体層４３の上面４３ａ）に対向するように配置されている。アップコンバータ５０は、例えば、９００ｎｍ〜１０７０ｎｍといった長波長領域の光を吸収して、５５０ｎｍや６６０ｎｍ程度の短波長領域の光を出射する。
【００２６】
このように構成される太陽電池モジュール１００においては、太陽光Ｌ１は、まずシリンドリカルレンズ３０に入射する。シリンドリカルレンズ３０に入射した太陽光Ｌ１は、筐体１０の開口部２０に集光されて開口部２０から筐体１０の内部に入射する。筐体１０の内部に入射した太陽光Ｌ１は、筐体１０の内部を進行して上面４０ａから太陽電池セル４０に入射する。太陽電池セル４０に入射した太陽光Ｌ１のうちの短波長領域の光は、太陽電池セル４０において吸収されて発電に供される。太陽電池セル４０に入射した太陽光Ｌ１のうちの長波長領域の光は、太陽電池セル４０において吸収されずに太陽電池セル４０を透過する。
【００２７】
太陽電池セル４０を透過した長波長領域の光は、筐体１０の底面部１３の内面１３ａで反射される。筐体１０の底面部１３の内面１３ａで反射された光Ｌ２は、筐体１０の内部を進行して太陽電池セル４０よりも開口部２０側に位置するアップコンバータ５０に入射する。アップコンバータ５０に入射した光Ｌ２は、その波長領域を太陽電池セル４０で吸収され得る短波長領域に変換された後に、上面部１１の内面１１ａで反射されてアップコンバータ５０から出射される。アップコンバータ５０から出射された光Ｌ３は、筐体１０の内部を進行して上面４０ａから太陽電池セル４０に入射する。太陽電池セル４０に入射した光Ｌ３は、太陽電池セル４０において吸収されて発電に供される。
【００２８】
なお、筐体１０の底面部１３の内面１３ａで反射された光Ｌ２は、アップコンバータ５０に直接入射する場合もあるし、側面部１２の内面１２ａで反射された後にアップコンバータ５０に入射する場合もある。したがって、側面部１２の内面１２ａ及び底面部１３の内面１３ａは、太陽電池セル４０を透過した光をアップコンバータ５０に向けて反射する反射手段として機能する。特に、底面部１３の内面１３ａは、太陽電池セル４０の裏面４０ｂに隣接する反射部として機能する。
【００２９】
また、上面部１１の内面１１ａで反射されてアップコンバータ５０から出射された光Ｌ３は、太陽電池セル４０に直接入射する場合もあるし、側面部１２の内面１２ａで反射された後に太陽電池セル４０に入射する場合もある。したがって、上面部１１の内面１１ａ及び側面部１２の内面１２ｂは、アップコンバータ５０において波長領域が変換された光を太陽電池セル４０の上面４０ａに向けて反射する反射手段として機能する。
【００３０】
以上説明したように、太陽電池モジュール１００においては、シリンドリカルレンズ３０が、短波長領域の光と長波長領域の光とを含む太陽光Ｌ１を、筐体１０の開口部２０から筐体１０内に入射させる。そして、太陽電池セル４０が、その上面４０ａから太陽光Ｌ１を受光することにより、短波長領域の光を吸収して発電を行う。その一方で、アップコンバータ５０が、長波長領域の光を、太陽電池セル４０で吸収可能な短波長領域の光に変換する。そして、上面部１１の内面１１ａや側面部１２の内面１２ａが、波長領域が変換された後の光を、太陽電池セル４０の上面４０ａに向けて反射する。
【００３１】
このため、太陽電池モジュール１００においては、筐体１０内に入射した太陽光Ｌ１と、波長領域が変換された後の光との両方が、太陽電池セル４０の上面４０ａで受光されることとなる。このため、この太陽電池モジュール１００においては、一方の面を受光面とする片面受光型の太陽電池セルを採用することが可能となる。よって、両面受光型の太陽電池セルを用いる場合に比べて、製造コストの増加を抑制可能であると共に、電極面積の減少に伴う発電効率の低下の抑制が可能となる。
［第２実施形態］
【００３２】
図３は、本発明に係る太陽電池モジュールの第２実施形態の構成を模式的に示す図である。図３に示されるように、本実施形態に係る太陽電池モジュール２００は、ショートパスのダイクロイックミラー（分光部）６０をさらに備える点で、第１実施形態に係る太陽電池モジュール１００と相違している。
【００３３】
ダイクロイックミラー６０は、筐体１０の内部に配置されている。より具体的には、ダイクロイックミラー６０は、太陽光Ｌ１の光軸上において太陽電池セル４０の上面４０ａの上（太陽電池セル４０と開口部２０との間）に配置されている。図４は、ダイクロイックミラー６０の反射特性の一例を示すグラフである。図３，４に示されるように、ダイクロイックミラー６０は、筐体１０の内部に入射した太陽光Ｌ１のうちの短波長領域（例えば８７０ｎｍ以下）の光Ｌ４を太陽電池セル４０の上面４０ａに向けて透過する。その一方で、ダイクロイックミラー６０は、筐体１０の内部に入射した太陽光Ｌ１のうちの長波長領域（例えば８７０ｎｍ以上）の光Ｌ５をアップコンバータ５０に向けて反射する。
【００３４】
このような太陽電池モジュール２００においても、上述した理由から、第１実施形態に係る太陽電池モジュール１００と同様の効果を奏することができる。特に、太陽電池モジュール２００によれば、太陽電池セル４０の上面４０ａの上において、太陽光Ｌ１を短波長領域の光Ｌ４と長波長領域の光Ｌ５とに分光することができる。その結果、赤外を含む長波長領域の光が直接太陽電池セル４０に照射されることが避けられ、太陽電池セル４０の温度上昇による発電効率の低下を防ぐことができる。
【００３５】
なお、ダイクロイックミラー６０を、ショートパスの凹面とすれば、長波長領域の光を集光しつつアップコンバータ５０に照射することが可能となるので、アップコンバータ５０の使用量を低減してコスト削減を図ることが可能となる。また、ダイクロイックミラー６０は、太陽電池セル４０において吸収され得る波長領域の光のみを選択的に透過するものが好ましい。
［第３実施形態］
【００３６】
図５は、本発明に係る太陽電池モジュールの第３実施形態の構成を模式的に示す図である。図５に示されるように、本実施形態に係る太陽電池モジュール３００は、筐体１０の底面部１３の構成、及び太陽電池セル４０の配置が第１実施形態に係る太陽電池モジュール１００と相違している。
【００３７】
太陽電池モジュール３００においては、筐体１０の底面部１３は、筐体１０の内部に入射した太陽光Ｌ１のそれぞれの光軸に対して傾斜するように、階段状に形成されている。そして、太陽電池セル４０は、筐体１０の内部に入射した太陽光Ｌ１のそれぞれの光軸に対して傾斜するように、その底面部１３の内面１３ａの上に配置されている。
【００３８】
このように構成される太陽電池モジュール３００においては、筐体１０の内部に入射した太陽光Ｌ１のうちの長波長領域（例えば８７０ｎｍ以下）の光は、太陽電池セル４０を透過した後に底面部１３の内面１３ａで反射される。底面部１３の内面１３ａで反射された光Ｌ６は、アップコンバータ５０に直接入射する場合もあるし、筐体１０の側面部１２の内面１２ａで反射されてからアップコンバータ５０に入射する場合もある。
【００３９】
このような太陽電池モジュール３００においても、上述した理由から、第１実施形態に係る太陽電池モジュール１００と同様の効果を奏することができる。特に、この太陽電池モジュール３００においては、上述したダイクロイックミラー６０等を設ける必要がないので、コスト削減及び小型化を図ることができる。
［第４実施形態］
【００４０】
図６は、本発明に係る太陽電池モジュールの第４実施形態の構成を模式的に示す図である。図６に示されるように、本実施形態に係る太陽電池モジュール４００においては、筐体１０は、一方が開放された（一方に開口部２０が設けられた）矩形箱状を呈している。また、太陽電池セル４０は、その筐体１０の両側面１２の内面１２ａの上に配置されており、アップコンバータ５０は、その筐体１０の底面部１３の内面１３ａの上に配置されている。そして、筐体１０の開口部２０の上には、太陽光Ｌ１を開口部２０に集光することによって、太陽光Ｌ１を筐体１０の内部に入射させる集光レンズ（集光手段）７０が配置されている。
【００４１】
このように構成される太陽電池モジュール４００においては、太陽光Ｌ１は、集光レンズによって開口部２０に集光されて筐体１０の内部に入射する。筐体１０の内部に入射した太陽光Ｌ１は、太陽電池セル４０でその一部（短波長領域の光）を吸収されながら、一対の側面１２の内面１２ａで多重反射してアップコンバータ５０へ向かう。アップコンバータ５０に到達した太陽光Ｌ１の残部（長波長領域の光）は、アップコンバータ５０で波長領域が変換されると共に底面部１３の内面１３ａで反射されて太陽電池セル４０に入射して発電に供される。
【００４２】
このような太陽電池モジュール４００においても、上述した理由から、第１実施形態に係る太陽電池モジュール１００と同様の効果を奏することができる。特に、この太陽電池モジュール４００においては、太陽光Ｌ１が筐体１０の内部で多重反射されるため、太陽の方位が時刻・季節に応じて変化しても、その変化を追跡する必要がない。
【００４３】
以上の実施形態は、本発明に係る太陽電池モジュールの一実施形態を説明したものである。したがって、本発明に係る太陽電池モジュールは、上述した太陽電池モジュール１００〜４００に限定されない。本発明に係る太陽電池モジュールは、特許請求の範囲に記した各請求項の要旨を変更しない範囲において、上述した太陽電池モジュール１００〜４００を任意に変形したものとすることができる。
【００４４】
例えば、太陽電池モジュール１００〜４００においては、太陽電池セル４０の下部電極４４をＡｕより構成すれば、その下部電極４４を、太陽電池セル４０を透過した光をアップコンバータ５０に向けて反射する反射手段として機能させることができる。その場合には、太陽電池セル４０を光が透過するとは、半導体基板４１、半導体層４２，４３を光が透過することを意味する。そのとき、半導体基板４１の裏面４１ｂが太陽電池セル４０の裏面４０ｂとなり、光の出射面となる。したがって、下部電極４４が太陽電池セル４０の裏面４０ｂに隣接する反射部となる。このような場合には、筐体１０の底面部１３（太陽電池モジュール４００においては筐体１０の側面部１２）を設けなくてもよい。
【００４５】
また、太陽電池モジュール１００〜３００においては、筐体１０の上面部１１に開口部２０を設けるものとしたが、筐体１０の態様はこれに限定されない。例えば、一方が開放された箱体に対して、その開放部を塞ぐように、開口部２０が設けられた板部材を取り付けることにより筐体１０を構成してもよい。また、太陽電池モジュール１００〜３００においては、側面部１２は必ずしも設けなくてもよい。
【００４６】
また、太陽電池モジュール２００においては、ショートパスのダイクロイックミラー６０に代えてロングパスのダイクロイックミラーを適用してもよい。その場合には、太陽光Ｌ１の光軸上において、開口部２０、ダイクロイックミラー、アップコンバータ５０がこの順に配列されることとなる。また、そのダイクロイックミラーを凹面とすれば、短波長領域の光を集光しつつ太陽電池セル４０に照射することができるので、集光型のモジュールとなり、太陽電池セル４０の使用量を低減してコスト削減を図ることができる。
【００４７】
また、太陽電池モジュール２００においては、ショートパスのダイクロイックミラーとロングパスのダイクロイックミラーとを併用し、それぞれにおいて反射された光をアップコンバータとダウンコンバータとのそれぞれに照射する構成としてもよい。
【００４８】
さらに、太陽電池モジュール４００においては、集光レンズ７０に代えて、筐体１０の開口部２０を塞ぐように配置された拡散板を適用することができる。
【符号の説明】
【００４９】
１０…筐体、１１ａ，１２ａ…内面（反射手段）、１３ａ…内面（反射手段、反射部）、２０…開口部、３０…シリンドリカルレンズ（集光手段），４０…太陽電池セル、４０ａ…上面（一方の面）、４０ｂ…裏面（他方の面）、４１ｂ…裏面（反射部）、５０…アップコンバータ（波長変換手段）、６０…ダイクロイックミラー（分光部）、７０…集光レンズ（集光手段）、Ｌ１…太陽光。
【図１】
2013123015.tif 000003
【図２】
2013123015.tif 000004
【図３】
2013123015.tif 000005
【図４】
2013123015.tif 000006
【図５】
2013123015.tif 000007
【図６】
2013123015.tif 000008